(57)【特許請求の範囲】
【請求項１】
回し車１の回転体２の周囲にフロート３を設け、又、フロート３の下部に容器４を設け、容器４内の液体５により浮力を受けたフロート３が回転体２と一体構成の軸６を浮揚させることで、軸６と軸受け７の接触摩擦を軽減させることを可能とした静音型回し車であって、フロート３及び容器４を飼育ケージ８の壁１０の外部に設けることで飼育ケージ８内の濡れを防止することを可能とした静音型回し車。
【請求項２】
回転体２の前方及び後方に二つのフロート３を設け、回転体２と二つのフロート３を棒１２により連結させ、又、フロート３の下部に容器４を設け、容器４内の液体５により浮力を受けたフロート３により、軸６の内部を貫通する棒１２と一体となる筒１４と飼育ケージ８の壁１０の穴に設けたスリーブ１３の接触摩擦を軽減させることを可能とした静音型回し車であって、フロート３及び容器４を飼育ケージ８の壁１０の外部に設けることで飼育ケージ８内の濡れを防止することを可能とした静音型回し車。
【発明の詳細な説明】
【０００１】
【発明の属する技術分野】
この発明は静音設計を施した回し車に関するものである。
【０００２】
【従来の技術】
回し車の回転体に設けた軸は軸受けに保持された状況で、飼育動物の駆動力により回転体が回転することになる。
【０００３】
【発明が解決しようとする課題】
飼育動物の駆動力により回転体が回転する際は、軸と軸受けの接触摩擦により騒音発生の原因となる。実際は飼育動物の体重がこの接触摩擦に悪影響を与えることから、接触摩擦の軽減の工夫が必要となる。運動不足解消のためには回し車は省スペースでありながらその効果は十分なものがあるが、回し車から発生する騒音が同居する飼育者に不快感を与えてしまうことが懸念される。夜行性の動物の場合は飼育者の睡眠にも悪影響を及ぼすために不健康な状態に陥ることになる。この場合は飼育ケージを室外に隔離しても良いが、室外は温度管理が施されていないため、高温や低温及び多湿に弱い動物はダメージを受けてしまうことになる。又、別室において温度管理を施した場合には経済性や安全性の面での問題がある。結局、両者が同居した状況においても騒音の不快感を減少させるためには、軸と軸受けの接触摩擦を軽減させる構成とすることが一番の課題となる。
【０００４】
【課題を解決するための手段】
回し車１の回転体２の周囲にフロート３を設け、又、フロート３の下部に容器４を設け、容器４内の液体５により浮力を受けたフロート３が回転体２と一体構成の軸６を浮揚させることで、軸６と軸受け７の接触摩擦を軽減させる様にする。
【０００５】
【発明の実施の形態】
図１に示すものは回し車１を側面から見た透視図である。図１に示す様に回し車１の回転体２の周囲にリング状のフロート３を設けてあり、このフロート３はその下部にある容器４内の液体５により浮力を受けている状況にある。つまり、フロート３は回転体２と一体構成となっているため、回転体２も浮力の作用を受けていることになる。そのため、回転体２と一体構成の軸６を持ち上げることになり、軸６と軸受け７の接触摩擦は無くなることになる。なお、強い浮力を受けた場合は軸６上部が軸受け７と接触することになるが、この場合においても回転体２の回転時には動物の体重が軸６を押し下げるために、回転時の際の軸６と軸受け７の接触摩擦を軽減させることが可能となる。つまり、回し車１の使用においては、事前に動物の体重を考慮して、軸６と軸受け７の接触摩擦が無い状況の浮力よりも強い浮力を与えた方が、騒音の主な原因である軸６下部と軸受け７の接触摩擦を軽減させることができるため、この浮力の加減のために液体５の量を調整することが効果的である。又、図１においては回し車１を飼育ケージ８の外部に設置している。つまり、パイプ９が飼育ケージ８の壁１０を貫通することにより、飼育動物による飼育ケージ８内と回し車１との往来を可能にしたものである。フロート３は液体５面を移動する目的ではなく、軸６に浮力を与えることが目的である。そのため、フロート３表面は滑面処理で良いためにフロート３回転時の液体の拡散の問題は少ない。しかし、長時間回し車１を使用すれば飼育ケージ８内の床周辺の濡れは不快なものとなるため、回し車１を飼育ケージ８の外部に設置することはこの問題点の解消に効果的である。なお、図１においては回転体２内部の濡れ防止のために２つの対策を施している。第一に、回転体２の開口部１１周辺をフレア加工することで、フロート３に付着した滴の回転体２内への流入を防止することができる。第二に、回転体２と軸６を連結する補強材の無い、制約を受けない開口部１１を利用して、パイプ９の端部を開口部１１内に延伸させることで、滴の流入の影響の少ない回転体２内部に動物を導くことができる。
【０００６】
【実施例】
図２に示すものは別構成のものを側面から見た透視図である。図２に示す様に軸６の内部に棒１２を貫通させてあり、又、棒１２の両端は壁１０の穴を貫通してフロート３と固定されている状態にある。なお、棒１２は角棒とすることで軸６及びフロート３との固定力を高めている。又、壁１０の穴にはスリーブ１３をはめ込み固定し、又、スリーブ１３と接する棒１２の箇所には筒１４を通す様にする。この筒１４は棒１２と一体になって回転する様に、棒１２が貫通できる角穴を造作しておく。つまり、図２に示す構成は回転体２の前方及び後方に分離させた二つのフロート３を設け、回転体２と二つのフロート３を棒１２により連結することで一体化が図られることになる。そのため、容器４内の液体５による浮力を受けた二つのフロート３は回転体２をバランス良く浮揚させることになる。その結果、棒１２に設けた筒１４が浮揚するためスリーブ１３との接触摩擦が軽減されることになる。
又、図３に示すものは図２の応用例であり、上方から見た平面透視図である。この図においては回し車１のメカニカルな外観を飼育ケージ８の後方に隠して、飼育ケージ８の外観を整然としたものにしている。又、この図においては容器４を一つに統括している。つまり、図２の場合二つのフロート３が同様な浮力を得るための各々の液体５の水位の維持に労力を払うことになるが、図３のものは容器４が一つであるため水位は均一となるので、扱い上極めて簡便である。その結果、動物の体重を考慮した水位調整をするだけで円滑な回転を期待することができることになる。なお、液体５の蒸発防止及び虫等の混入防止のための蓋１５を容器４に設けることも、それが原因でフロート３の回転動作等の性能劣化を防止する観点から効果的である。
【０００７】
【発明の効果】
図１及び図２に示すものはフロート３が液体５から受ける浮力を利用することで軸６と軸受け７の接触摩擦を軽減させることができる。又、両者はフロート３及び容器４を飼育ケージ８の壁１０の外部に設けることで、フロート３回転時の液体の拡散による飼育ケージ８内の濡れを防止することができる。なお、接触摩擦の軽減のための手段としてはマグネットの反発による浮揚が考えられる。この場合は、磁場に対して敏感な動物が過剰な反応をしてしまうという懸念がある。その点、本発明のものは浮力として使用する液体５を蒸留水等とすれば生態に悪影響を及ぼすことはない。なお、図２に示すものは図１と比較して次に示す特徴がある。第一に、図１に示すものは軸６と軸受け７の接触範囲が広いため騒音発生の原因になり易いが、図２に示すものは軸６に通した筒１４が接する範囲は壁１０にはめ込んだスリーブ１３のみである。つまり、スリーブ１３が図１に示す軸受け７であることになるが、軸６と軸受け７の接触範囲を極端に減らすことにより騒音を抑えることができる。又、スリーブ１３と筒１４の接触はベアリングの様な円滑回転をもたらすことになり、回し車１の静音化を推進することになる。第二に、図１に示すものは回転体２とフロート３及び容器４が隣接しているのに対して、図２に示すものは回転体２とフロート３及び容器４は壁１０により隔離されているため、回転体２内部の濡れの危惧感は無く、又、湿気を嫌う動物に対しても効果的である。第三に、図１に示すものは回転体２とフロート３及び容器４の位置関係から開口部１１が飼育ケージ８の床から高位置にあるのに対して、図２に示すものは図１の様にフロート３が回転体２の外周上に無く、又、フロート３を２箇所に分散させることによる小型化が可能なために、高さに制約を受けない回転体２は床に接近させることができる。これにより、動物は回転体２に容易に乗降でき、パイプ９内を往来する抵抗感も無いため、回し車１の使用環境が整うことになる。第四に、図１に示すものはフロート３が回転体２を直接浮揚させるのに対して、図２に示すものはフロート３が釣り合い人形である「やじろべえ」の様に回転体２のバランスをとりながら浮揚させるため、安定感のある回転が得られることになる。
【図面の簡単な説明】
【図１】本発明の側面透視図及び飼育ケージ８との位置関係図
【図２】別構成のものの側面透視図及び飼育ケージ８との位置関係図
【図３】図２に示す構成の応用例とした平面透視図
【符号の説明】
１  は回し車          ２  は回転体          ３  はフロート
４  は容器            ５  は液体            ６  は軸
７  は軸受け          ８  は飼育ケージ      ９  はパイプ
１０  は壁            １１  は開口部        １２  は棒
１３  はスリーブ      １４  は筒            １５  は蓋
【図１】
0003582007.tif 000002
【図２】
0003582007.tif 000003
【図３】
0003582007.tif 000004